Podtech/llm-jp-corpus-v4-ja_patent huggingface dataset:
(57)【要約】      （修正有）【課題】弾力があり、水で洗浄しても変形したり、さびたりすることのない耳かきを提供する。【解決手段】合成樹脂の線材を複数本数で束ねたり、あるいはよったりしたものを曲げて、耳かき部を作成する。細い合成樹脂は、より弾力があり、水で洗っても、曲がったりさびたりしない。【選択図】図４
0003150622.tif 000002
【実用新案登録請求の範囲】
【請求項１】
複数の合成樹脂の線材を束ねたり、よったりしたものを曲げて、耳かきの掻く部分とした耳かき。
【考案の詳細な説明】
【技術分野】
【０００１】本考案は耳の外耳道の耳アカの清掃を行うための耳かき用具に関するものである。
【背景技術】
【０００２】従来の耳かきは１本の細い木や竹や金属の棒の先にサジ状の部分を備えて、外耳道をかくようにして耳かきを行うのが一般的である。
【考案の開示】
【考案が解決しようとする課題】
【０００３】従来の耳かきは１本の細い木や竹や金属でできているので、弾力にとぼしく、また木や竹や金属であるため、耳をかいた後、水で洗浄した場合、木や竹は曲がったり、金属はさびたりする。
【課題を解決するための手段】
【０００４】本考案は［図１］の合成樹脂の線材を［図２］にように束ねたり、［図３］のようによったりしたものを曲げて［図４］、［図５］のような耳かきの掻く部分とする。
【考案の効果】
【０００５】１本の棒より、細い複数の合成樹脂を束ねたりよったりしたもののほうが、ソフトで弾力がある。また合成樹脂でできているので、水で洗っても曲がったりさびたりしない。
【実施例】
【０００６】［図４］のように複数の合成樹脂を束ねてまげることにより、弾力がある。角がないのでタッチがソフトである。
【産業上の利用可能性】
【０００７】水、洗剤等で洗浄することにより、いつでも清潔な、衛生面を考えた耳かきを提供することができる。
【図面の簡単な説明】
【０００８】
【図１】合成樹脂の線材
【図２】合成樹脂の線材を束ねたもの
【図３】合成樹脂の線材をよったもの
【図４】合成樹脂の線材を束ねたものを曲げてつくった耳かき部
【図５】合成樹脂の線材をよったものを曲げてつくった耳かき部
【図１】
0003150622.tif 000003
【図２】
0003150622.tif 000004
【図３】
0003150622.tif 000005
【図４】
0003150622.tif 000006
【図５】
0003150622.tif 000007
(57)【要約】【課題】    賞味用だけでなく、高い薬効を有するウコンを同時に食する事が出来る、食べやすく、携帯性に優れたウコン含有飴菓子を提供すること。【解決手段】    本考案のウコン含有飴菓子（１）は、砂糖、水飴等の原材料（１ａ）を加熱し溶かしたものに、ウコンの根茎を乾燥させて粉末（１ｂ）およびチップ状に加工したもの（１ｃ）を添加することにより、食しやすく、携帯性に優れている。【選択図】図１
0003150630.tif 000002
【実用新案登録請求の範囲】
【請求項１】
砂糖、水飴等の原材料を加熱し混ぜ合わせ、溶かした後に冷却し固める飴菓子において、原材料にさらにショウガ科植物であるウコンの根茎の粉末とウコンの根茎をチップ状に加工したものを添加したことを特徴とするウコン含有飴菓子。
【考案の詳細な説明】
【技術分野】
【０００１】  本考案は、賞味用だけでなく、成人病に高い薬効を有するウコンをも同時に食することが出来るウコン含有飴菓子に関する。
【背景技術】
【０００２】  従来の菓子としての飴菓子は、賞味用の食材であった。【０００３】  従来の成人病に高い薬効を有するウコンは、ショウガ科の植物であるウコンの根茎を漢方薬として食したり、その根茎の粉末を錠剤として飲んだり、ウコン茶としての飲料があるのみであった。
【考案の開示】
【考案が解決しようとする課題】
【０００４】  従来の菓子としての飴は、賞味用として食していただけで、特に健康には留意せず、また従来のウコンは、ウコン独特の苦味があり漢方薬や錠剤として水などを利用しなければ食することが困難な問題点を有し、ウコンを含有する食べやすく携帯しやすい食材は無かった。
【課題を解決するための手段】
【０００５】  上記の問題点を解決するために、本考案のウコン含有飴菓子は、菓子としての飴にウコンを含有させ、賞味用だけでなく、高い薬効を有するウコンを同時に食することの出来る、食べやすいウコン含有飴菓子を提供する。
【考案の効果】
【０００６】  ウコン含有飴菓子は、賞味用だけでなく、高い薬効を有するウコンをも同時に食することができ、飴の原材料に含まれる砂糖等の糖分によりウコンの苦味が緩和され、食べやすく、ウコン含有飴菓子を提供できる効果を有する。【０００７】  ウコン含有飴菓子は、漢方薬や錠剤を食する際に水等を利用しなければ食することが困難であったが、飴菓子の形状を１〜２ｃｍ程度にすることにより携帯性に優れ、水等を利用しなくても、高い薬効を有するウコンを食することができる効果を有する。
【考案を実施するための最良の形態】
【０００８】  本考案のウコン含有飴菓子に用いるウコンは、漢方薬や薬用として栽培されており、その根茎を乾燥させてから粉末やチップ状に加工されたものには、黄色の色素であるクルクミンやフラボノイド、カンファー、シオネール、リン等を含み、肝臓強化作用、胆汁分泌促進作用、殺菌、防腐作用に優れた効果を有する。【０００９】  本考案のウコン含有飴菓子は、砂糖、水飴を主原料とし、これらを混ぜ合わせ加熱し溶かした状態で、乾燥させたウコンを粉末とチップ状に加工したものを添加して練りこみ、冷却させて固まらせることにより、砂糖の甘みでウコン特有の苦味を緩和し、食しやすく、携帯性に優れた効果を有する。
【実施例】
【００１０】  この考案の実施例において、図１は本考案のウコン含有飴菓子の斜視図を示す。【００１１】  この考案の実施例を、図面を参照して説明をすると、ウコン含有飴菓子（１）は砂糖、水飴等を主原料（１ａ）とし、これらを加熱し溶かしたものに、ウコンの粉末（１ｂ）とウコンのチップ（１ｃ）を添加して冷却し、固めたものである。
【図面の簡単な説明】
【００１２】
【図１】この考案の実施例を示す。ウコン含有飴菓子の斜視図。
【符号の説明】
【００１３】  １    ウコン含有飴菓子
１ａ  砂糖、水飴等の飴主原料
１ｂ  ウコンを乾燥させ、粉末状に加工したもの
１ｃ  ウコンを乾燥させ、チップ状に加工したもの
【図１】
0003150630.tif 000003
(57)【要約】      （修正有）【課題】操作性や安全性に優れ、びわ葉などの薬液に含まれる有効成分を効率よく患部の皮膚下に浸透させることができるびわ温圧療法電気温灸器を提供する。【解決手段】電気温灸器は、内部に電子制御基板を備え、電源供給部２と把手部と開口部を設け、外部に開口したヒーターユニットには、発熱体と、伝熱金属板を接続し、電子制御基板にて５段階の温度コントロールを可能とし、伝熱金属板上にびわ葉エキス用液体吸収綿が保持され、液体吸収綿は熱を伝わりやすくするため中央を打ち抜き構造とし、伝熱金属板と皮膚表面間に密閉空間を形成する開口部を設けたゴムキャップ３を被せる構造とした。【選択図】図１
0003150670.tif 000002
【実用新案登録請求の範囲】
【請求項１】
伝熱金属板５が一体成型されたヒーターユニット４の裏面に発熱体６を設け、ヒーターユニット４の表面にびわ葉エキスなどの薬液の吸収・保持材としての液体吸収綿７を設け、ヒーターユニット４に着脱可能なゴムキャップ３からなることを特徴とするびわ温圧療法電気温灸器。
【考案の詳細な説明】
【技術分野】
【０００１】
本考案は、局所への加熱による灸の代用として使用される温灸器に関し、特に、もぐさ及びびわ葉などの薬液に含まれる有効成分を、患部の皮膚下に浸透させることにより治療を行うびわ温圧療法電気温灸器に関する。
【背景技術】
【０００２】
従来から、温熱刺激を患部に与えて、血行をよくする、筋肉の疲れをとる、筋肉のこりをほぐす、神経痛や筋肉痛の痛みをやわらげる、胃腸の働きを活発にする等の治療効果を目的とした各種の温灸器が知られている。
【０００３】
その中で、もぐさを燃焼させ、当該もぐさの燃焼温熱を加えるとともに、吸収・保持材に浸透させたびわの生葉などから抽出させた抽出液、すなわち、エキスを気化させて、もぐさ及びびわ葉などの薬液に含まれる有効成分を、患部の皮膚下に浸透させることにより治療を行うことを目的とした温灸器が知られている。
【０００４】
そのような温灸器に関する技術としては、例えば、実用新案出願公告平２−３８７５１号公報（特許文献１）には、表面に断熱材が貼られたアルミニウム製の円筒状本体の中心孔内に、圧縮、形成された硬い棒状のもぐさを挿入する構造を有し、該円筒状本体の先端部に嵌脱自在に装着される、ガス流出孔を持つ耐熱性の温灸キャップ内に、びわ葉エキスなどを吸収・保持する液体吸収綿を充填する温灸器が開示されている。
【０００５】
上記公報の温灸器は、円筒状本体の中心孔内に挿入した棒状もぐさを燃焼させ、それを熱源として、該円筒状本体に装着した温灸キャップ内の液体吸収綿に染み込ませたびわ葉エキスなどへ間接的に熱を与えて、該温灸キャップのガス流出孔より放出させ、このガス流出孔を患部の皮膚表面に直接押付けて治療するものであり、びわ葉エキスなどを皮膚の内部へ浸透させ、血液浄化などの作用をすることなどが判明している。
【先行技術文献】
【特許文献】
【０００６】
【特許文献１】実用新案出願公告平２−３８７５１号
【考案の概要】
【考案が解決しようとする課題】
【０００７】
従来の技術では、もぐさを燃焼させることで、少なからず火を使うことによる火傷や火事などの危険性を有しており取扱いには注意が必要であった。また、もぐさが燃焼する際の煙で場所によっては使用を断念せざるを得ない点や、燃焼して灰になったもぐさの後処理などのメンテナンスや液体吸収綿を交換する際の煩わしさ、または、好みの温度に調節しにくく、もぐさの燃焼が弱い場合にはびわ葉エキスが気化しにくいなどの課題があった。
【課題を解決するための手段】
【０００８】
上記の課題を解決するために本考案の電気温灸器は、中空状の本体１の内部に電子制御基板を備え、一端に電源供給部２と把手部と本体内部温度上昇防止の開口部を設け、他端に外部に開口したヒーターユニット４を設けるとともに、そのヒーターユニット４には前記電子制御基板に接続された発熱体６と、伝熱金属板５が接続されている。伝熱金属板５は前記電子制御基板で温度コントロールを可能とし、伝熱金属板５上にはびわ葉エキスを染み込ませるための液体吸収綿７が保持され、該液体吸収綿７は熱を伝わりやすくするため中央が開口した構造となっており、伝熱金属板５と患部皮膚表面との間に密閉空間を形成する開口部を設けたゴムキャップ３を被せる構造とした。
【考案の効果】
【０００９】
本考案は、熱源としてヒーターを用いることで、もぐさを燃焼させるものではないので安全にお灸を行なうことができ、煙の発生もなく、商用電源１００Ｖのコンセントが有る場所であればどこででも使用が可能である。
【００１０】
また、前記ヒーターの熱は即効性のある立ち上がりを実現しており約３分程度でお灸が開始でき、かつ本体１内部の制御基板と伝熱金属板５で５段階の温度コントロールが可能であり、使用者が好みの温度を選択することにより、使用部位及び熱感の個人差などに合わせて幅広く使用することができる。温度コントロールがなされた際には、電子ブザーによる合図音が鳴ることで、好みの温度になったことがわかる仕組みとなっている。
【００１１】
また、使用及びメンテナンス面では、びわ葉エキスを補充する場合に使用中でもそのまま付け足すことが可能であり、液体吸収綿７の交換はゴムキャップ３を外して新品の液体吸収綿７を伝熱金属板５に載せるだけの作業となっており、手軽な使用及びメンテナンス性を実現した。
【００１２】
以上により、誰でも手軽にびわ葉エキスなどの薬液に含まれる有効成分を、患部の皮膚下に浸透させる電気温灸器による治療が可能となった。
【図面の簡単な説明】
【００１３】
【図１】本考案による電気温灸器の全体の斜視外形図である。
【図２】本考案による電気温灸器の発熱部の断面図である。
【図３】本考案による電気温灸器の液体吸収綿７のセット方法を示す分解軽視外形図である。
【考案を実施するための形態】
【００１４】
以下、本考案の電気温灸器における実施形態について、図面を参照して説明する。
【実施例】
【００１５】
図１に示すように、中空状の本体１の一方に電源供給部２を有し、他方には患部に当てて熱を与えるゴムキャップ３を有する。電源供給部２に接続された発熱体６は図2に示すように伝熱金属板５の裏側に固定される。
【００１６】
伝熱金属板５の表面には、交換可能な液体吸収綿7が保持され、びわ葉エキスなどの薬液を染み込ませて使用する。液体吸収綿7の中央部には円形の開口部があり、伝熱金属板５の表面からの熱が伝わりやすくなっている。
【００１７】
図３に示すように、ゴムキャップ３は、ヒーターユニット４と着脱可能となっており、液体吸収綿７の交換が容易に行えるようになっている。ゴムキャップ３の人体接触側に勾配を設け、人体との密着性を良くし、薬液による湿熱を効率的に人体に与える形状となっている。
【符号の説明】
【００１８】
１・・・本体
２・・・電源供給部
３・・・ゴムキャップ
４・・・ヒーターユニット
５・・・伝熱金属板
６・・・発熱体
７・・・液体吸収綿
【図１】
0003150670.tif 000003
【図２】
0003150670.tif 000004
【図３】
0003150670.tif 000005
(57)【要約】      （修正有）【課題】猫背の人の前かがみになっている体を後ろへそる姿勢にする履物を提供する。【解決手段】従来の履物であるダイエットスリッパとは逆につま先から踵へ傾斜された履物を履くことで猫背の人は、体が後へ反るようになり上半身が起立して背筋が伸び正しい姿勢に改善されます。また、つま先から踵部分へ傾斜した履物をはくことにより踵に重心があり、つま先部分の負担も少なく健康な体が保たれる。【選択図】図２
0003150663.tif 000002
【実用新案登録請求の範囲】
【請求項１】
履物の底部（足を乗せる部分）がつま先部側が高く踵部側が低く全体を傾斜させた履物。
【請求項２】
履物の先端部分を先端より足の指のつけねがのる部分あたりまで斜めに切り欠いて傾斜させた部分を設けた請求項１記載の履物。
【考案の詳細な説明】
【技術分野】
【０００１】
本考案は猫背を矯正する室内ではく履物に関するものである。
【背景技術】
【０００２】
室内で履く履物でダイエットスリッパなどがあるが、足が踵部分まで載らない短寸の履物である。
【０００３】
猫背を矯正する背中につけるバンドの他上半身に背中の部分に前かがみにならないように工夫された下着等もある。
【特許文献１】特開２００３−２３３００                          実願２００３−０１２５９                      実願２００５−０１３８０
【考案の概要】
【考案が解決しようとする課題】
【０００４】
前かがみの猫背の姿勢を矯正する。
【課題を解決するための手段】
【０００５】
本考案は、履物の底が従来の履物であるダイエットスリッパとは逆につま先より踵部分へ傾斜（低くなる）になった履物を履くことによって、体（上半身）が後へそるようになり背筋が真直ぐになってくる。また、踵部分に重心をおくようになるので足のつま先部分の負担が軽減される。
本考案による履物は、床面その他の歩行面において履物を使用又履いて立っているだけでも、姿勢がよくなり猫背が直ってくる。傾斜の角度は年配者には、ゆるめの傾斜で年代や健康状態によって急な傾斜にする等、使用の仕方を変えるとよい。
【考案の効果】
【０００６】
継続して使用することで、自然と胸をそる姿勢になってきて猫背が直ってくる。又先端部分で立つ事もできるようにもなっており、お腹とお尻の筋力を引き締めることが出来るためヒップアップまたシェイプアップになる。
【図面の簡単な説明】
【０００７】
【図１】履物の先端（つま先）より踵部分へ傾斜させた履物で踵部分が低くなっている側面図。
【図２】履物の先端より踵部分が低く傾斜のある履物で前の先端部分が少し切り欠けて傾斜させた部分のある履物の斜視図
【符号の説明】
【０００８】
１    履物の底
２    先端部
３    踵部分                              
４    傾斜部分
５    足
６    先端の切り欠け部分
【考案を実施するための形態】
【０００９】
本考案の履物の実施の形態について、図面を参照しつつ説明をする。図１は、つま先側が高く踵側が低く傾斜している履物である。
また、図２は、先端部分に切り欠いた部分を設け、先端部分でつま先立ちも出来るようになっている。また、このような形状とすることにより、履物自体を軽量化することも出来る。
【実施例】
【００１０】
履物台の材質としては、クッション性を有する弾性材料が好ましい。ゴムすなわち、シリコーンゴム、ウレタンゴム、スチレンーブタジエンゴム、ニトリルーブタジエンゴム、ブタジエンゴム、イソプレンゴム、クロロプレンゴム等が好ましい。また、複数の材料を多重にかさねてもよい。
【００１１】
履物底の表面には、足裏を確実に位置きめし、安定させるための被服部材をとりつける。被服部材としては、つま先から足甲にかけて足背を被覆する甲カバー、鼻緒、親指から小指まで掛け渡される帯状カバー、等が挙げられる。歩く際に脱落し難くするため、踵や足首にフイットさせるような物を配設してもよい。
【産業上の利用可能性】
【００１２】
本考案の履物は、日常の生活において室内履きとして使用する事により、継続して背筋を伸ばす事で姿勢が良くなる。腹部、尻部の筋肉が引き締められてシェイプアップにつながる。
【図１】
0003150663.tif 000003
【図２】
0003150663.tif 000004
(57)【要約】      （修正有）【課題】曲げ強度の異方性の少ない積層段ボールを提供する。【解決手段】複数枚の単層段ボールを用意し、下から一枚毎に段ボール内の波板の屈曲方向を直交させながら貼り合わせて一体化して交差積層段ボールを作る。波板の屈曲方向を一層毎に交差させながら貼り合わせてあるので、それぞれの曲げに対して弱い方向を補い合う効果があり、全体としては曲げ強度の異方性の少ない積層段ボール板になる。【選択図】図１
0003150617.tif 000002
【実用新案登録請求の範囲】
【請求項１】
厚さ５ｍｍ程の単層段ボール板を複数枚貼り合わせて作る積層段ボール板に於いて、単層段ボール板内の波板の屈曲方向を一層毎に縦方向、横方向交互に方向を変えながら重ねて貼り合わせて、一体化してあることを特徴とする縦・横それぞれ数ｍの交差積層段ボール板。
【請求項２】
段ボールの材料に予め難燃剤を含浸させてあることを特徴とする請求項１記載の交差積層段ボール板。
【請求項３】
出来上がった表面に防炎塗料を吹き付けたり、防炎シートを貼り付けたりしてあることを特徴とする請求項１記載の交差積層段ボール板。
【考案の詳細な説明】
【技術分野】
【０００１】  パッケージあるいは建材に使用する段ボール板に関する。
【背景技術】
【０００２】  段ボール板は、主にパッケージの材料として圧縮強度も適当にあり、軽量、安価で、リサイクル使用もできることから、近年多方面に渡って使用されている。【０００３】  段ボール板を製造するとき、その構造上波板の屈曲方向にはいくらでも長くできるが、屈曲方向に対して直角な方向は原紙の幅に制限されてほぼ２ｍが限度である。また段ボール板の中間層に波板を使用していることにより、波板の谷あるいは山に沿う方向では曲がり易いという欠点があった。【０００４】  従って単層段ボールを貼り合わせて積層段ボールを製造して、丈夫にしようとしても、同じ方向でそのまま重ねて貼り合わせるのでは、波板の波の屈曲方向が同方向であるために、段ボール板全体の曲げに対する強度に異方性が生じる問題は避けることができなかった。現在製造されている積層段ボールはすべてこの問題を抱えている。
【考案の開示】
【考案が解決しようとする課題】
【０００５】  曲げ強度の異方性の少ない積層段ボールを提供する。
【課題を解決するための手段】
【０００６】  本考案は上記問題に鑑みてなされたものであり、複数枚の単層段ボールを用意し、下から一枚毎に波板の屈曲方向を直交させながら貼り合わせて一体化して交差積層段ボールを作る。木材の場合、単板よりベニヤ板の方が曲げ破壊に対する異方性が少ないことと類似の発想である。
【考案の効果】
【０００７】  波板の屈曲方向を一層毎に交差させながら貼り合わせてあるので、それぞれの曲げに対して弱い方向を補い合う効果があり、全体としては曲げ強度の異方性の少ない積層段ボール板になる。
【考案を実施するための最良の形態】
【０００８】  一層目の単層段ボール板の表面に接着剤を塗り、その上に単層段ボール板の波板の屈曲方向が、一層目の波板の屈曲方向に対して直角になるように配置し、二層目として貼り合わせる。さらにその表面に接着剤を塗り、三層目の単層段ボール板を一層目と同じ波板の屈曲方向で貼り合わせて交差積層段ボール板をこしらえる。図１にこのようにして作られた交差積層段ボール板を部分斜視図として示してある。【０００９】  これを繰り返して四層、五層と順次増やし、多層の交差積層段ボール板をこしらえることもできる。【００１０】  また建材に使用するために、段ボール材料に予め難燃剤を含浸させておき交差積層段ボール板を作ったり、出来上がった交差積層段ボール板の表面に防炎塗料を吹き付け塗装したり、表面に防炎シートを貼っても良い。
【実施例１】
【００１１】  幅２ｍ、長さ４ｍ、厚さ５ｍｍの単層段ボール板を一番下に置く。この場合波板の屈曲方向はこの段ボール板の長手方向を向いている。【００１２】  その表面にコーターで接着剤を塗り、その上に幅２ｍ、長さ２ｍ、厚さ５ｍｍの単層段ボール板を波板の屈曲方向が、一層目の波板の屈曲方向に対して直角になるようにして、２枚並べて二層目を貼り合わせる。【００１３】  さらにその表面にコーターで接着剤を塗り、三層目は幅２ｍ、長さ４ｍ、厚さ５ｍｍの単層段ボール板を一層目と同じ波板の屈曲方向で貼り合わせて交差積層段ボール板をこしらえる。
【産業上の利用可能性】
【００１４】  本考案の交差積層段ボールによれば、曲げに対する異方性が少ないので、パッケージは勿論のこと、商品を並べて展示する展示台や、独立して立っている案内標識など使用可能範囲は広い。また防炎処置を施すことにより建材としても使用できるようになる。
【図面の簡単な説明】
【００１５】
【図１】交差積層段ボール板の部分斜視図
【図１】
0003150617.tif 000003
(57)【要約】      （修正有）【課題】弓道場以外で専用の弓張りのない場所や自宅でも簡単に弓張りができるように、弓張りと同じ機能を持ち、且つ携帯することができる弓張りを提供する。【解決手段】手に入る大きさの基礎台１の中心部に弓道場に設置してある弓張りと同様の凹部（穴）を彫る。また、弓の先端を高い位置で固定するために弓の先端に取り付けられるように保持材２を施す。更に、凹部には保護材４を施し弓の先端を保護し、そして、壁等に強く押し付けても滑らないように上部及び裏面に滑り止め３を施す。【選択図】図１
0003150638.tif 000002
【実用新案登録請求の範囲】
【請求項１】
弓張りがない場所で弓の先端及び壁等の傷付きを防止しつつ弓に弦掛作業を行うものであって、基礎台の表側に弓の先端部を押し当てる凹部を備えるとともに弓の先端部を嵌合した状態で該弓の先端部に保持されるための保持材が備えられていることを特徴とする携帯弓張り。
【請求項２】
前記携帯弓張りにおいて、基礎台の凹部に保護材が施されていることを特徴とする請求項
１に記載の携帯弓張り。
【請求項３】
前記携帯弓張りにおいて、基礎台と壁等との接触面に滑り止めが施されていることを特徴とする請求項1又は２に記載の携帯弓張り。
【考案の詳細な説明】
【技術分野】
【０００１】
本考案は、専用の弓張りのない場所で弓の弦掛け作業を行う際に使用する携帯弓張りに関するものである。
【背景技術】
【０００２】
毎週のように日本のあちこちで弓道大会等が開催されている。その弓道大会等に多くの参加者がいる場合は、併設されている体育館等を控え室として用意されそこで身仕度や道具の準備が行われる。その際に弓の弦掛け作業は、本来弓道場内及び廊下等の壁に設置してある弓張りの場所まで行って行うことが適切な作業であると考える。しかし、弓道場以外の施設で準備を整える多くの参加者は、自分が荷物を置く控え室等の施設のドアの角や床を安易に利用して行うことが多い。この作業は、弓の尖った先端部（末弭：うらはず）を壁等に強く押し付けて行うために押し当てた壁等を傷付けたり、又、壁等の表面の状況によって弓を傷付けることになる。また、弓の上達を目指し修練に励んでいる人達は、常に弓を手元に置くため自宅の鴨居やドアの角を利用して行っていると思われ、その作業に際して困っていないのかと思った。
【考案の開示】
【考案が解決しようとする課題】
【０００３】
弓道場以外で専用の弓張りのない場所や自宅でも簡単に弓張りができるように弓張りと同じ機能を持ち且つ携帯用にすることにより前述の問題点を解決しようとするものである。
【課題を解決するための手段】
【０００４】
本考案は、弓張りがない場所で弓の先端及び壁等の傷付き防止を目的とするために弓道場に設置してある弓張りを携帯用とする。そのため弓の先端を押し付ける溝（凹部）を彫った基礎台及び溝には弓の先端の傷付き防止のための保護材及び目の高さ以上の高い位置で使用するために弓の先端部に取り付け保持する保持材を施した。且つ、本考案を使用する際に滑り易い壁等の場所でも安全に作業ができるように基礎台の先端部及び裏面に滑り止めを施し、いつでも、何処でも気軽に使用できるものとすることによって問題を解決している。
【考案の効果】
【０００５】
本考案携帯弓張りは、弓張りの機能があれば良いとの考えで手に入る大きさ及び重さのものとしている。そのため弓道大会等に手軽に持参することが可能である。また、使用に際しても大きさが小さいものであるために施設等の壁の少しの段差、角及び床の隅を利用して使用することができる。そのことによって施設等の壁や弓の先端部を傷つけることなく安全に弦掛け作業を行うことができる。更に、自宅においてもドアや鴨居等の段差を利用したり床、畳の部屋の隅を利用して手軽に利用できるものとしている。
【考案を実施するための最良の形態】
【０００６】
図２は、基礎台全体の構成である。大きさは、約：縦７ｃｍ×横４ｃｍ×高さ２ｃｍ程度である。その基礎台には、弓の先端部（末弭：うらはず）を当てる凹部を彫ってある。押し当て溝である凹部の先端最深部は、幅約１．５ｃｍ深さ約１．５ｃｍ程度とし凹部の最浅部の幅は、約２．５ｃｍとし最深部に向って角度を付けて弓の先端を入れやすくしてある。また、図１−２は、弓の先端に安定して取り付けられ高い位置で使用できるようにする保持材である。図１−４は、凹部の本携帯弓張りによって弓の先端部（末弭：うらはず）の傷付きを防止するための保護材である。そして、図１−３は、本携帯弓張りを壁等に強く押し当てても壁等を傷つけないよう又本携帯弓張りが滑らないようにするための滑り止めである。図４は、本携帯弓張りを弓の先端に取り付け保持材によって安定して鴨居等の段差を利用しての使用状況であるが、弓の先端に取り付け又少しの段差を利用するために手に入る大きさであることが重要となる。
【産業上の利用可能性】
【０００７】
弓道を目指す人の弦掛け作業において、弓や壁等の傷付くことを心配することなくいつでもどこでも容易に使用できるものであり商品化可能である。
【図面の簡単な説明】
【０００８】
【図１】本考案の携帯弓張りの全体図である。
【図２】本考案の基礎台の構成図である。
【図３】本考案の基礎台の断面図である。
【図４】本考案の壁や鴨居等の高さの高い位置での使用状況である。
【図５】本考案の床面での使用状況である。
【符号の説明】
【０００９】
１  基礎台
２  保持材
３  滑り止め
４  保護材
【図１】
0003150638.tif 000003
【図２】
0003150638.tif 000004
【図３】
0003150638.tif 000005
【図４】
0003150638.tif 000006
【図５】
0003150638.tif 000007
(57)【要約】      （修正有）【課題】背中など手が届かない部位に一人で貼付薬を貼るための器具を提供する。【解決手段】水平の回転軸に差し込んだとき上側になる側面部分が常に同じになるように中心軸からずれた位置に回転軸受けを持ち、かつ、外側面に弾力材層がある回転筒を回転軸に差し込んだ構造とし、弾力材層の上部で貼付薬を保持して空中を動かし、肌に触れた後は回転筒を回転移動させて凹凸がある肌に貼付薬を圧着させる。【選択図】図１
0003150632.tif 000002
【実用新案登録請求の範囲】
【請求項１】
外側面が弾力材層で覆われ、かつ、中心軸を外れた位置に回転軸受けがある回転筒と回転軸を有し、回転軸受けに通された回転軸のまわりを回転筒が偏心して回転する構造を持つことを特徴とする貼付薬貼り具。
【考案の詳細な説明】
【技術分野】
【０００１】  本考案は貼付薬を貼るための器具に関するものである。
【背景技術】
【０００２】  貼付薬は、通常、薬面を覆うカバーを剥がし粘着性がある薬面を上にして掌で支え、落さないように貼るべき部位まで運び、薬面を肌にあて、掌で押さえて貼付する。あるいは、肌にあてた状態でカバーを外すことが必要である。従って、一人で貼付薬を貼れる体の部位は制限され、背中などには貼ることが困難であった。
【考案の開示】
【考案が解決しようとする課題】
【０００３】  本考案は背中など手が届かない部位に１人で貼付薬を貼る手段を提供する。
【課題を解決するための手段】
【０００４】  以下、図を用いて構成と動作を詳細に説明する。
図１は本考案の貼付薬貼り具１の外観図であり、２は回転筒、３は弾力材層、４は回転軸受け、５は回転軸、６はピン、７はアーム、８はグリップである。回転筒２の外側面には弾力性のある弾力材層３がある。また、回転筒２の内側面にはその中心軸からずらして回転軸受け４が回転筒２と一体になるように付けられている。回転軸受け４に回転軸５を差し込むと回転筒２は偏心して滑らかに回転する。ピン６で回転軸５から回転筒２が抜けないように留められている。
回転軸受け４が回転筒２の中心軸からずれているので、回転筒２と弾力材層３の自重により、回転軸５が水平に近い状態では、常に弾力材層３の同じ部分が上側となる。以下の説明では、このとき上側になる弾力材層３の部分を弾力材層天部と呼ぶ。一方、回転軸５はアーム７とつながり、さらに、アーム７の根元にはグリップ８がついている。グリップ８を握ることで貼付薬貼り具１を操作する。
図２は貼付薬貼り具１の使用状態を示す断面図であり、９は貼付薬、１０は肌、１１は説明のためにつけた矢印である。貼付薬９は予め作業がしやすい位置で薬面を覆うカバーを外し、薬面を上側にして、弾力材層天部に載せておく。その後、グリップ８を握り、回転軸５を水平に近い状態で貼付薬９を弾力材層天部に載せたまま貼付薬貼り具１を動かす。背中など貼りたい部分の肌１０に弾力材層３を押し付けたまま下から上に引き上げる。回転筒２は矢印１１の方向に回転し、貼付薬９は肌１０へ貼り付けられる。弾力材層３の変形により肌１０の凹凸部にも貼付できる。
【考案の効果】
【０００５】  回転軸受け４を回転筒２の中心軸からずらしているため、本貼付薬貼り具１を動かしても、貼付薬を常に下から保持でき、かつ、肌に薬面を接触させた後は、回転筒２の回転により滑らかに圧着することができる。背中など、手が届かない体の部位に貼付薬を貼付することが可能となる。
【考案を実施するための最良の形態】
【０００６】  回転筒は厚紙やプラスチックなど、回転軸受けとアームはプラスチックや金属などの既存の材料で、既存の加工技術で本考案を容易に実施することができる。弾力材層はスポンジやゴムなど、弾力性があり表面が滑りにくい材料で構成することが可能である。
【図面の簡単な説明】
【０００７】
【図１】  貼付薬貼り具の外観図
【図２】  貼付薬貼り具の使用状態を示す断面図
【符号の説明】
【０００８】  １は貼付薬貼り具、２は回転筒、３は弾力材層、４は回転軸受け、５は回転軸、６はピン、７はアーム、８はグリップ、９は貼付薬、１０は肌、１１は説明用矢印である。
【図１】
0003150632.tif 000003
【図２】
0003150632.tif 000004
(57)【要約】【課題】  磁気の力で伝達を行う非接触伝達において、磁性体同志の接触を回避し効率の良い回転伝達を行う。【解決手段】  駆動回転体と従動回転体に先端が同じ極性になるように永久磁石を装着したアームを回転体の外周に複数個取り付け、駆動回転体と従動回転体に取り付けられたアームの磁石がお互い反発力が生じるように対面させて設置し、風力、水力、モーターなど外部からのエネルギーを駆動回転体に供給した時、磁石の反発力を利用して従動回転体に回転エネルギーの伝達を行う。又、磁性体間のスペースを広く設けることにより磁性体同志の接触を回避し、摩擦による回転ロス、接触による磨耗、騒音のない非接触回転駆動伝達を行う。【選択図】図２
0003150633.tif 000002
【実用新案登録請求の範囲】
【請求項１】
駆動回転体と従動回転体に先端が同じ極性になるように永久磁石を装着したアームを回転体の外周に複数個取り付け、駆動回転体と従動回転体に取り付けられたアームの磁石がお互い反発力が生じるように対面させて設置し、風力、水力、モーターなど外部からのエネルギーを駆動回転体に供給した時、磁石の反発力を利用して従動回転体に回転エネルギーの伝達を行うことを特徴とする非接触回転駆動伝達装置。
【考案の詳細な説明】
【技術分野】
【０００１】  本考案は非接触回転駆動伝達装置に関する。
【背景技術】
【０００２】  非接触磁気歯車装置、いわゆる磁気歯車は接触することなく磁気の力で伝達するため通常の歯車に比べ騒音や粉塵の発生が少なく耐久性等にも優れているが、強いトルクや高速の回転を得ることが難しく用途拡大のための大きな課題とされている。
【先行技術文献】
【特許文献】
【０００３】
【特許文献１】特開２００４−５８１４６
【特許文献２】実開昭５７−１６５８４４
【考案の概要】
【考案が解決しようとする課題】
【０００４】  上記文献１は垂直型風車の回転軸にフライホールを設置し、そのフライホールに三本の足を設け、その先端に磁石を取り付けて外側に取り付けた固定の磁石との反発により回転を補助するとあるがフライホールを伴うための回転の減速と磁石の反発力による回転の補助を比較すると大きな効果は見込めない。【０００５】  上記文献２は歯車歯面に磁石又は電磁石等の磁性体により磁気力を保有させた歯車で、歯面磨耗の軽減を目的としたものであるが、トルク伝達が弱く過負荷時に歯面同志が接触し磁性体の破損などの問題がある。【０００６】  本考案はこのような点に鑑みて成されたものであり、磁性体同志の接触を回避し効率の良い回転駆動伝達を行うものである。
【課題を解決するための手段】
【０００７】  駆動回転体と従動回転体に先端が同じ極性になるように永久磁石を装着したアームを回転体の外周に複数個取り付け、駆動回転体と従動回転体に取り付けられたアームの磁石がお互い反発力が生じるように対面させて設置し、風力、水力、モーターなど外部からのエネルギーを駆動回転体に供給した時、磁石の反発力を利用して従動回転体に回転エネルギーの伝達を行う。又、磁性体間のスペースを広く設けることにより磁性体同志の接触を回避し、摩擦による回転ロス、接触による磨耗、騒音の無い非接触回転駆動伝達を行う。
【考案の効果】
【０００８】  本考案は駆動側と従動側に永久磁石を装着したアームを取り付けて回転駆動伝達を行うため磁性体同志の距離、磁性体の素材、磁力等の設定が容易であり、効率の良い回転駆動伝達を行うことができる。
【考案を実施するための形態】
【０００９】  以下、本考案の実施の形態を図面に基づき説明する。
【００１０】  図１はアームの先端部分の斜面図であり１，２，３は永久磁石である。
【００１１】  永久磁石の外面はすべて同じ極性、例えばＮ極になるように装着している。
【００１２】  アームの数は回転体の大きさ、アームの長さ、磁性体の大きさ、磁気の強さなどを考慮して調整でき、４本から１２本が適当だと思います。
【００１３】  図２は駆動回転体のアームと従動回転体のアームが噛み合った状態で対面する磁性体は同じＮ極になっておりお互いの反発力により静止している。
【００１４】  駆動回転体５に回転エネルギーＡが生じると従動回転体６に磁性体の反発力によりＢの回転が生じ、駆動回転体５の回転エネルギーが従動回転体６に伝達される。
【００１５】  アームは回転体に直接装着できない場合は図３のようにガードプレート７にアームを取り付け、ガードプレートを回転体に装着すると良い。
【産業上の利用可能性】
【００１６】  図４は駆動回転体に風力による回転エネルギーを得て、本考案を利用して従動回転体である複数の風力用発電機を回転させることにより磁石の反発力による反作用、空気抵抗などを考慮しても発電量の増加につながる。又、騒音や粉塵の発生がない特徴からクリーンルームなどでの動力伝達装置等に用いることができる。【００１７】  本考案は水平方向の伝達、垂直方向の伝達、共に有効である。
【図面の簡単な説明】
【００１８】
【図１】  駆動側と従動側に装着するアームの先端部分
【図２】  駆動側と従動側のアームが噛み合った状態
【図３】  ガードプレート
【図４】  本考案の産業上の利用の１例
【符号の説明】
【００１９】１  ・永久磁石
２  ・永久磁石
３  ・永久磁石
４  ・アーム
５  ・駆動回転体
６  ・従動回転体
７  ・ガードプレート
８  ・風力発電用ブレード
９  ・駆動回転体（風力発電用発電機）
１０・従動回転体（風力発電用発電機）
１１・磁石を装着したアーム
１２・風力発電用発電機の軸
【図１】
0003150633.tif 000003
【図２】
0003150633.tif 000004
【図３】
0003150633.tif 000005
【図４】
0003150633.tif 000006
(57)【要約】      （修正有）【課題】全域に亘って通気構成を備える、防虫効果を図った新規な自動車用防虫ネットを提供する。【解決手段】自動車窓枠に嵌合掛止できる窓枠の形状に一致した環状の枠部１に、防虫用小孔５を多数有する可提性のシート４を張没すると共に、前記枠部１には弾性金属棒６を備えて、前記シート４を外方に張拡でき、かつ折曲げ変形できるようにして自動車窓用防虫ネットを構成する。【選択図】図１
0003150650.tif 000002
【実用新案登録請求の範囲】
【請求項１】
自動車窓枠に嵌合掛止できる窓枠の形状に一致した環状の枠部に、防虫用小孔を多数有する可提性のシートを張没すると共に、前記枠部には弾性金属棒を備えて、前記シートを外方に張拡でき、かつ折曲げ変形できるようにして成ることを特徴とする自動車窓用防虫ネット。
【請求項２】
枠部は、帯片を内側に折り曲げて、弾性金属棒を内包させると共に、可撓性のシートの端部を臨ませて、糸により縫着して成ることを特徴とする請求項１記載の自動車窓用防虫ネット。
【考案の詳細な説明】
【技術分野】
【０００１】
本考案は、各種自動車の窓に簡単に着脱できて、車外の虫などの侵入を防止できる自動車窓用防虫ネットに関する。
【背景技術】
【０００２】
夏季など、日光の日差しの強い日では、自動車内の温度が必要以上に高温となるため、不透明なプラスチックシートなどを窓に貼接させて、遮光カバーとして用いることが知られている（例えば、特許文献１参照）。
【０００３】
更に、車外の蚊などの虫の侵入を防止するための防虫板も知られている（例えば、特許文献２参照）。
【先行技術文献】
【特許文献】
【０００４】
【特許文献１】特開平６−５５９３４号公報
【特許文献２】特開２００５−５９６３５号公報
【考案の概要】
【考案が解決しようとする課題】
【０００５】
ところで、防虫板の特許文献２にあっては、通気可能の通風部と通気不能の非通部が構成されていて、完全な通気状態を確保できないという問題がある。
【０００６】
本考案は、叙上の点に着目して成されたもので、全域に亘って通気構成を備える、防虫効果を図った新規な自動車用防虫ネットを提供することを目的とする。
【課題を解決するための手段】
【０００７】
本考案は、以下の構成を備えることにより、上記課題を解決できる。
【０００８】
（１）自動車窓枠に嵌合掛止できる窓枠の形状に一致した環状の枠部に、防虫用小孔を多数有する可提性のシートを張没すると共に、前記枠部には弾性金属棒を備えて、前記シートを外方に張拡でき、かつ折曲げ変形できるようにして成ることを特徴とする自動車窓用防虫ネット。
【０００９】
（２）枠部は、帯片を内側に折り曲げて、弾性金属棒を内包させると共に、可撓性のシートの端部を臨ませて、糸により縫着して成ることを特徴とする前記（１）記載の自動車窓用防虫ネット。
【考案の効果】
【００１０】
本考案によれば、自動車内のルーム内温度は、現在では、専らエアコンを用いて最適な状態を保持しているが、停車中などエアコンを用いていると、無駄なエネルギーの浪費となり、ＣＯ２など環境汚染ともなり、地球環境を悪化させる虞れがあるが、外気が適温であれば開閉自在の窓に、本考案に係る防虫ネットを装着して置くことにより、窓を開放して外気を取り入れることができる。
【００１１】
同様に走行中であっても、外気が適温であれば、窓を開けて新鮮な外気を取り入れてルーム内の温度を最適な温度に保持できる。
【００１２】
この窓を開けた状態でも、防虫ネットが張設できるので、外気中の蚊や蛾などの虫類が侵入しようとしても完全に侵入を防止することができる。
【００１３】
この防虫ネットは、自動車の窓枠に嵌合固着すれば簡単に装着でき、その状態での窓の開閉も自由に行うことができると共に、ネット材料のため遮光効果があり、ルーム内温度を適温に上昇させることができ、さらに外部から不用意にルーム内を覗き見できない効果もある。
【００１４】
さらに不使用時には、環状の枠部を折り曲げて小さな輪状に折り畳むことができるので、取り扱い携行に便利である。
【００１５】
その上、構造が簡単であるので廉価量産に適する。
【図面の簡単な説明】
【００１６】
【図１】本考案に係る自動車窓用防虫ネットの一実施例を示す一部切欠した正面図
【図２】図１のＩＩ−ＩＩ線拡大縦断面図
【図３】使用状態の断面図
【図４】小形に折り畳んだ状態の斜視図
【考案を実施するための形態】
【００１７】
以下本考案を実施するための最良の形態を、実施例により詳しく説明する。
【実施例】
【００１８】
以下に、本考案の一実施例を図面と共に説明する。
【００１９】
１は、自動車窓枠２の大きさに一致対応して枠内にガラス３の内側に沿って嵌合掛止できる環状の枠部、４は、全域に亘って形成させる防虫用小孔５を備えた可撓性のシートで、プラスチック製の糸を経緯に織成して形成したり、或いは溶融プラスチックを型成形して網目の崩れない状態で得られるプラスチックネットなどを用いて形成することができる。
【００２０】
６は前記枠部１内に内包される弾性金属棒で、例えば、鋼線などを用いる。７は枠部１の帯片を示し、この帯片７を中心線に沿って折り返し、この中心線に前記弾性金属棒６を配置して包み込み、同時に前記可撓性のシート４の外周縁４ａを帯片７の折り返し開口部７ａ内に挟み込ませ、強靭な糸８により縫合固着させるものである。これにより、可撓性のシート４の全周縁は、環状の弾性金属棒６の張力を受けて撓むことなく張設することができる。
【００２１】
なお、前記弾性金属棒６は各種自動車の窓枠２の形状と一致して、自動車窓枠２のガラス３の内周に沿って嵌合固着してあるので、可撓性のシート４を装着してある状態で、ガラスを昇降させて外気の通風を可能とすることができる。
【００２２】
また、不使用時は窓枠２より環状の枠部１を取り外して小環状に折り畳んで、図４に示すようにして左右の自動車窓用の２枚一組として整理片付けることができる。
【００２３】
本考案によれば、防虫作用と併せて遮光作用もあるので、エネルギー損失を伴うことなく、省エネ，地球環境の改善に貢献できる。
【符号の説明】
【００２４】
１    枠部
２    自動車窓枠
３    ガラス
４    可撓性のシート
４ａ  外周縁
５    防虫用小孔
６    弾性金属棒
７    帯片
７ａ  開口部
８    強靭な糸
【図２】
0003150650.tif 000003
【図３】
0003150650.tif 000004
【図１】
0003150650.tif 000005
【図４】
0003150650.tif 000006
(57)【要約】【課題】本考案は、温泉入浴施設等で汲み上げられた温泉原水に含まれている水溶性天然ガスを分離するサイクロン式ガス水セパレーターを提供する。【解決手段】本考案のサイクロン式ガス水セパレーターは、円筒管タンクの上方内壁に引湯管１に接続してらせん式流路３を取り付け、汲み上げられた温泉原水が前記らせん式流路３を渦巻状に前記円筒管タンク内を流下することにより、遠心力により温泉原水からガス分の分離を促進すると共に前記円筒管タンク内にはサイクロン効果により渦流が生じ、セパレーター本体４の下方に貯留された温泉原水から水溶性天然ガスが容易に分離し易くなるものである。【選択図】図１
0003150656.tif 000002
【実用新案登録請求の範囲】
【請求項１】
円筒管タンクの上方内壁に引湯管に接続してらせん式流路を取り付け、汲み上げられた水が前記らせん式流路を渦巻状に前記円筒管タンク内を流下することにより、遠心力により温泉原水からガス分の分離を促進すると共に前記円筒管タンク内にはサイクロン効果により渦流が生じ、円筒管タンクの下方に貯留された温泉原水から水溶性天然ガスが容易に分離し易くなることを特徴とするサイクロン式ガス水セパレーター。
【考案の詳細な説明】
【技術分野】
【０００１】
本考案は、温泉入浴施設等で汲み上げられた温泉原水に含まれている水溶性天然ガスを分離するサイクロン式ガス水セパレーターに関する。
【背景技術】
【０００２】
従来、地中から汲み上げられた温泉原水中に含有された天然ガスを分離し、発電用ガス等として安定して供給することができる天然ガス分離システムが一般的に知られている（特許文献１を参照）。
この公知技術では、水中ポンプで汲み上げられたかん水をガスセパレータに供給して比重差を利用して天然ガスと温泉原水とを分離し、分離した天然ガスはガスコンプレッサで昇圧した後、ガスホルダーに貯留し、コージェネレーション装置に供給してエネルギー源に供される天然ガス分離システムである。
【先行技術文献】
【特許文献】
【０００３】
【特許文献１】特開２００８−２８５５８３号公報
【考案の概要】
【考案が解決しようとする課題】
【０００４】
本考案は、温泉入浴施設等で汲み上げられた温泉原水に含まれている水溶性天然ガスを分離するサイクロン式ガス水セパレーターを提供することを目的とする。
【課題を解決するための手段】
【０００５】
本考案のサイクロン式ガス水セパレーターは、円筒管タンクの上方内壁に引湯管に接続してらせん式流路を取り付け、汲み上げられた水が前記らせん式流路を渦巻状に前記円筒管タンク内を流下することにより、遠心力により温泉原水からガス分を分離すると共に前記円筒管タンク内にはサイクロン効果により渦流が生じ、円筒管タンクの下方に貯留された水から水溶性天然ガスが容易に分離し易くなるものである。
【考案の効果】
【０００６】
本考案のサイクロン式ガス水セパレーターは、円筒管タンクの上方内壁に引湯管に接続してらせん式流路を取り付け、汲み上げられた水が前記らせん式流路を渦巻状に前記円筒管タンク内を流下することにより、遠心力により温泉原水からガス分の分離を促進すると共に前記円筒管タンク内にはサイクロン効果により渦流が生じ、円筒管タンクの下方に貯留された水から水溶性天然ガスが容易に分離し易くなるものであるため、従来のものよりも小型で効率よく、水溶性天然ガスを水から分離できる効果がある。
【図面の簡単な説明】
【０００７】
【図１】本考案のサイクロン式ガス水セパレーターの概略説明図である。
【図２】らせん式流路の平面図である。
【考案を実施するための形態】
【０００８】
本考案のサイクロン式ガス水セパレーターの一実施例を添付図面に基づいて、以下に説明する。
図１は本考案のサイクロン式ガス水セパレーターの概略説明図、図２はらせん式流路の平面図である。
図１に示すように、上方周壁に引湯管１を接続し、天板にガス放散管２を接続した円筒管タンクのセパレーター本体４は、円筒管タンクの上方内壁に前記引湯管１に接続してらせん式流路３を取り付け、円筒管タンクの下方には水を貯留するように貯留部５が形成される。
前記セパレーター本体４の貯留部５には汲み上げられた温泉原水が貯留され、円筒管タンクの貯留部５に接続された温泉配管６から逆Ｕ字状に配管された水位調節用トラップ８の頂部に接続されたガス抜き管７を設けて図示しない貯湯槽に送られ、該貯湯槽から浴槽に送られる。
【０００９】
次に、本考案のサイクロン式ガス水セパレーターの操作動作を添付図面に基づいて、以下に説明する。
図１に示すように、水中ポンプ等により汲み上げられた温泉原水は、引湯管１からセパレーター本体４へ供給され、前記引湯管１かららせん式流路３へ導入され、図２に矢印で示すように円筒管タンクを渦巻状に流下し、下方の貯留部５に貯留される。
前記温泉原水が渦巻状に流下する際に、遠心力により温泉原水からガス分の分離を促進すると共に円筒管タンク内にはサイクロン効果により渦流が生じ、貯留部５に貯留された温泉原水から天板のガス放散管２を介して温泉原水から分離した天然ガスが放出される。
前記貯留部５の水位調節は、逆Ｕ字状に配管された水位調節用トラップ８によって行われ、ガス抜き管７から同様に天然ガスが放出される。
【符号の説明】
【００１０】
１  引湯管
２  ガス放散管
３  らせん式流路
４  セパレーター本体
５  貯留部
６  温泉配管
７  ガス抜き管
８  水位調節用トラップ
【図１】
0003150656.tif 000003
【図２】
0003150656.tif 000004
(57)【要約】【課題】ゴム芯入り組紐の組紐カバーとその中心のゴム芯を同色又は同系色にして組紐カバーの色とゴム芯の色との違いが目立たないようにして装飾性を損なわないようにしたゴム芯入り組紐を提供する。【解決手段】弾性力のあるゴム芯の周りにゴム芯と同色又は同系色の伸縮のある組紐カバーが被覆されているゴム芯入り組紐で、端部のゴム芯と組紐カバーが同色であるため、ゴム芯と組紐カバーが一体に見えるので、装飾性を損なうことがない。【選択図】図１
0003150651.tif 000002
【実用新案登録請求の範囲】
【請求項１】
弾性力のあるゴム芯の周りにゴム芯と同色又は同系色の伸縮のある組紐カバーが被覆されていることを特徴とするゴム芯入り組紐である。
【考案の詳細な説明】
【技術分野】
【０００１】
本考案は、ゴム芯を中心にゴム芯と同色又は同系色の組紐カバーを被覆したゴム芯入り組紐に関する。
【背景技術】
【０００２】
髪を束ねるヘアーバンドや手首に巻く装飾用ゴムバンド、ものを束ねたり、締め付けたりするのにゴム芯入り組紐が利用されている。ゴム芯入り組紐は、弾性力のあるゴム芯とこのゴム芯を中心にして伸縮する組紐カバーを被覆する構成となっている。ゴム芯入り組紐の両端を突き合わせて接着剤で接着してリングを形成したり、あるいは両端を結んでリング状に形成したりして使用されている（特許文献１〜３参照）。
【０００３】
図１に示すように、ゴム芯入り組紐１は、ゴム芯２とこのゴム芯２を被覆する組紐カバー３で構成されている。前記特許文献では、ゴム芯入り組紐の両端部を突き合わせ、接着してリング状に形成して使用している。組紐カバーは、装飾のために各種の色彩が施されている。
【先行技術文献】
【特許文献】
【０００４】
【特許文献１】特開２００３−３０４９２２号公報
【特許文献２】特開２００２−２４０１５４号公報
【特許文献３】特開平１０−３０９７５９号公報
【考案の概要】
【考案が解決しようとする課題】
【０００５】
ゴム芯入り組紐の両端を結んでリングにして使用する場合、ゴム芯入り組紐の端部の切断面には、組紐カバーだけでなくその中心にゴム芯が現れる。組紐カバーは見栄えをよくするために色が施されているが、ゴム芯の色と組紐カバーの色とが異なってバランスがとれていないと、組紐カバーの色とゴム芯の色との違いが目に付いて、装飾上好ましくない場合がある。同様に、使用中に組紐カバーがほぐれてゴム芯がむき出しになった場合にも、特に組紐カバーの色とゴム芯の色との違いによりゴム芯が目立って装飾性を損ねることがある。
【０００６】
そこで、本考案は、ゴム芯入り組紐の組紐カバーとその中心のゴム芯を同色又は同系色にして組紐カバーの色とゴム芯の色との違いが目立たないようにして装飾性を損なわないようにしたゴム芯入り組紐を提供するものである。
【課題を解決するための手段】
【０００７】
本考案は、弾性力のあるゴム芯の周りにゴム芯と同色又は同系色の伸縮のある組紐カバーが被覆されていることを特徴とするゴム芯入り組紐である。
【考案の効果】
【０００８】
本考案によれば、端部のゴム芯と組紐カバーが同色又は同系色であるため、ゴム芯と組紐カバーが一体に見えるので、色の違いによる違和感がなく、見栄えもよく、装飾性を損なうこともない。
【０００９】
使用中に組紐カバーがほぐれてゴム芯がむき出しになってもゴム芯と組紐カバーが同色又は同系色であるため、ゴム芯が目立つことがないので装飾性を損なうことはない。  
【図面の簡単な説明】
【００１０】
【図１】（ａ）はゴム芯入り組紐の全体図、（ｂ）は端部の縦断面図である。
【考案を実施するための形態】
【００１１】
本考案を実施例により説明する。
【実施例】
【００１２】
図１において、ゴム芯入り組紐１は、弾力性を有するゴム芯２とその周りを被覆した、伸縮性のある組紐カバー３で構成される。
【００１３】
ゴム芯２には、組紐カバー３と同色又は同系色に色付けされたゴムを使用する。色付けされたゴム芯２は、色付ゴム組成物、例えば、天然ゴム又は合成ゴムのゴム成分に顔料、加硫剤及び加硫促進剤を配合した色付ゴム組成物からなるゴムを使用することができる。ゴム芯２の縦断面は、図１（ｂ）に示すように丸形、あるいは、図１（ｂ）に示すように四角形でもよい。
【００１４】
組紐カバー３は、ゴム芯２と同色のポリプロピレン、ナイロン、テトロン、ポリエステル、ビニロンあるいは木綿などの繊維を組紐状に編成して形成される。
【００１５】
ゴム芯２を中心に組紐カバー３を被覆したゴム芯入り組紐１は、連続した長尺のゴム芯を長手方向に所定の張力で引っ張った状態で製紐機の中心に配置した状態で複数本の組紐材を交差するように筒状に縒って製紐することにより、ゴム芯２を中心にして外周部に組紐カバー３を被覆する。被覆が終わり、ゴム芯２を緩めると、伸縮性のある組紐カバー３が形成される。
【００１６】
ゴム芯入り組紐１の端面は、ゴム芯２とカバー組紐３とが同色又は同系色、例えば、赤色のゴム芯２に対して同色の赤色のカバー組紐３からなるため、ゴム芯２とカバー組紐３が一体に見えるため、色違いによる違和感がなく、また、組紐カバー３がほつれてもゴム芯２が目立つこともなく、装飾性を損なうこともない。
【符号の説明】
【００１７】
１：ゴム芯入り組紐
２：ゴム芯
３：組紐カバー
【図１】
0003150651.tif 000003